(57)【要約】【課題】賞球確認作業を簡単に行うことができ、さらに、遊技球の不正な入賞を抑制することができる遊技機を提供する。【解決手段】実施形態に係るパチンコ機（遊技機の一例）は、遊技領域に対して入賞口６１ａを閉鎖する閉鎖位置および入賞口６１ａを遊技球の通過を可能に開ける第１の開口位置に変位可能な開閉部材６３と、入賞口６１ａに入った遊技球が通過する通路部６１と、通路部６１を通過する遊技球を検出する検出部６２と、開閉部材６３が閉鎖位置と入賞口６１ａを遊技球の通過を不能に開ける第２の開口位置との間だけ変位可能になるように開閉部材６３の変位を制限する開閉機構６４と、通路部６１における検出部６２より上流側に連通し、開閉部材６３が閉鎖位置に変位した状態で遊技球が通過不能となり、開閉部材６３が第２の開口位置に変位した状態で遊技球が通過可能となるように形成され、遊技球が投入される開口部６５とを備える。【選択図】図４
2018187150.tif 000002
【特許請求の範囲】
【請求項１】
遊技球が流下可能な遊技領域に対して入賞口を閉鎖する閉鎖位置および前記入賞口を遊技球の通過を可能に開ける第１の開口位置に変位可能な開閉部材と、
前記入賞口に入った遊技球が通過する通路部と、
前記通路部を通過する遊技球を検出する検出部と、
前記開閉部材が前記閉鎖位置と前記入賞口を遊技球の通過を不能に開ける第２の開口位置との間だけ変位可能になるように前記開閉部材の変位を制限する制限機構と、
前記通路部における前記検出部より上流側に連通し、前記開閉部材が前記閉鎖位置に変位した状態で遊技球が通過不能となり、前記開閉部材が前記第２の開口位置に変位した状態で遊技球が通過可能となるように形成され、遊技球が投入される開口部と、
を備えることを特徴とする遊技機。
【請求項２】
前記開口部は、前記通路部における前記入賞口側の端部に形成された切欠き部であり、
前記開閉部材は、前記閉鎖位置に変位して前記端部に近接することで遊技球が前記切欠き部を通過することを不能にし、前記第２の開口位置に変位して前記端部から離間することで遊技球が前記切欠き部を通過することを可能にするように形成されていることを特徴とする請求項１に記載の遊技機。
【請求項３】
前記開口部は、遊技球が通過可能に前記通路部の周面に形成された貫通孔であり、
前記開閉部材は、前記閉鎖位置に変位して前記貫通孔の一部を塞ぐことで遊技球が前記貫通孔を通過することを不能にし、前記第２の開口位置に変位して前記貫通孔を開放することで遊技球が前記貫通孔を通過することを可能にするように形成されていることを特徴とする請求項１に記載の遊技機。
【請求項４】
前記開口部は、前記遊技領域外に設けられていることを特徴とする請求項１から請求項３のいずれか一項に記載の遊技機。
【請求項５】
駆動源と、
前記駆動源の非駆動に応じて第１の位置に移動し、前記駆動源の駆動に応じて第２の位置に移動する移動体と、
をさらに備え、
前記制限機構は、前記移動体が前記第１の位置に移動した状態で、前記開閉部材が前記閉鎖位置と前記第２の開口位置との間だけ変位可能になり、前記移動体が前記第２の位置に移動した状態で、前記開閉部材が前記第１の開口位置に変位するように、前記開閉部材と前記移動体とを連結する連結機構であることを特徴とする請求項１から請求項４のいずれか一項に記載の遊技機。
【発明の詳細な説明】
【技術分野】
【０００１】
本発明は、遊技機に関する。
【背景技術】
【０００２】
代表的な遊技機であるパチンコ機は、機内の遊技盤の盤面に画定された遊技領域に枠状の装飾体が設けられ、その枠状の装飾体の開口部を介して液晶式やドラム式等の図柄表示装置が臨み、この図柄表示装置によって図柄変動ゲームやリーチ演出等の各種の遊技演出を行うようになっている。また、枠状の装飾体の下方には、遊技球であるパチンコ球の入賞により図柄表示装置に遊技演出を開始させる始動入賞装置や大当り時等に特別入賞口を開放する特別入賞装置が設けられている。
【０００３】
このようなパチンコ機では、遊技領域に打ち出されたパチンコ球が、遊技領域内に設けられた遊技釘や風車等との接触によって跳ね返りながら自重により流下し、その遊技領域を流下する過程で始動入賞装置に入賞すると、所定数の賞球が払い出されると共に、図柄変動ゲーム等の遊技演出が実行される。そして、図柄が所定の組み合わせで停止することで大当りが発生すると、特別入賞装置において特別入賞口が開放され、特別入賞口へのパチンコ球の入賞機会が与えられ、遊技者が賞球を獲得することが可能になる。
【０００４】
特別入賞装置等の入賞装置は、入賞口を開閉可能な開閉部材を備えており、この開閉部材が閉鎖状態となってパチンコ球の入賞口への入賞を阻止し、所定条件で開放状態となってパチンコ球の入賞口への入賞を許容するようになっている。このような入賞装置に対して、パチンコ機の隙間から遊技領域内へ侵入させた針金等で開閉部材を強制的に開放状態にし、パチンコ球を投入する不正行為（所謂「ゴト行為」）が近年多発している。
【０００５】
そこで、前述の不正行為に対処するため、特許文献１のような入賞装置が提案されている。この入賞装置は、開閉部材がロック機構により閉鎖状態（ロック状態）である時、開閉部材の駆動源となるソレノイド以外の外力が開閉部材に加えられると、開閉部材に設けられた操作子がソレノイドのプランジャに当接して開閉部材の変位が規制され、開閉部材の強制変位が阻止されるようになっている。
【先行技術文献】
【特許文献】
【０００６】
【特許文献１】特開２００３−３４００２０号公報
【発明の概要】
【発明が解決しようとする課題】
【０００７】
通常、前述のパチンコ機の出荷時や入荷時等には、パチンコ球の払い出しが正常に行われるか否かの検査（賞球確認作業）を行う必要があり、このとき、入賞口を開放して検査を行うことが一般的である。この場合、ロック機構を有する入賞装置においては、ロック解除のための治具（専用工具等）を用いて開閉部材の閉鎖状態を解除し、入賞口を開放することになるため、賞球確認作業は煩雑になっている。
【０００８】
また、開閉部材がロック機構により閉鎖状態であっても、開閉部材の上部が、パチンコ球が通る程度に開口していることがある。この場合には、その開口にパチンコ球を投入して賞球確認作業を行うことは可能であるが、不正にパチンコ球を投入する不正行為が行われる懸念がある。
【０００９】
本発明は、上記の問題点に着目してなされたものであり、その目的は、賞球確認作業を簡単に行うことができ、さらに、遊技球の不正な入賞を抑制することができる遊技機を提供することである。
【課題を解決するための手段】
【００１０】
上記課題を解決する遊技機は、遊技球が流下可能な遊技領域に対して入賞口を閉鎖する閉鎖位置および前記入賞口を遊技球の通過を可能に開ける第１の開口位置に変位可能な開閉部材と、前記入賞口に入った遊技球が通過する通路部と、前記通路部を通過する遊技球を検出する検出部と、前記開閉部材が前記閉鎖位置と前記入賞口を遊技球の通過を不能に開ける第２の開口位置との間だけ変位可能になるように前記開閉部材の変位を制限する制限機構と、前記通路部における前記検出部より上流側に連通し、前記開閉部材が前記閉鎖位置に変位した状態で遊技球が通過不能となり、前記開閉部材が前記第２の開口位置に変位した状態で遊技球が通過可能となるように形成され、遊技球が投入される開口部とを備えることを特徴とする。
【００１１】
上記遊技機について、前記開口部は、前記通路部における前記入賞口側の端部に形成された切欠き部であり、前記開閉部材は、前記閉鎖位置に変位して前記端部に近接することで遊技球が前記切欠き部を通過することを不能にし、前記第２の開口位置に変位して前記端部から離間することで遊技球が前記切欠き部を通過することを可能にするように形成されているようにしてもよい。
【００１２】
上記遊技機について、前記開口部は、遊技球が通過可能に前記通路部の周面に形成された貫通孔であり、前記開閉部材は、前記閉鎖位置に変位して前記貫通孔の一部を塞ぐことで遊技球が前記貫通孔を通過することを不能にし、前記第２の開口位置に変位して前記貫通孔を開放することで遊技球が前記貫通孔を通過することを可能にするように形成されているようにしてもよい。
【００１３】
上記遊技機について、前記開口部は、前記遊技領域外に設けられているようにしてもよい。
【００１４】
上記遊技機について、駆動源と、前記駆動源の非駆動に応じて第１の位置に移動し、前記駆動源の駆動に応じて第２の位置に移動する移動体とをさらに備え、前記制限機構は、前記移動体が前記第１の位置に移動した状態で、前記開閉部材が前記閉鎖位置と前記第２の開口位置との間だけ変位可能になり、前記移動体が前記第２の位置に移動した状態で、前記開閉部材が前記第１の開口位置に変位するように、前記開閉部材と前記移動体とを連結する連結機構であるようにしてもよい。
【発明の効果】
【００１５】
本発明によれば、賞球確認作業を簡単に行うことができ、さらに、遊技球の不正な入賞を抑制することができる。
【図面の簡単な説明】
【００１６】
【図１】第１の実施形態に係るパチンコ機（遊技機の一例）を示す正面図である。
【図２】第１の実施形態に係る遊技盤ユニットを示す正面図である。
【図３】第１の実施形態に係る遊技盤ユニットを示す分解斜視図である。
【図４】第１の実施形態に係る閉鎖時の特別入賞部を示す正面図である。
【図５】第１の実施形態に係る閉鎖時の特別入賞部を示す側面図である。
【図６】第１の実施形態に係る開放時の特別入賞部を示す正面図である。
【図７】第１の実施形態に係る賞球確認作業時の特別入賞部を示す正面図である。
【図８】第１の実施形態に係る閉鎖時の開閉機構を示す背面図である。
【図９】第１の実施形態に係る開放時の開閉機構を示す背面図である。
【図１０】第１の実施形態に係る賞球確認作業時の開閉機構を示す背面図である。
【図１１】第２の実施形態に係る閉鎖時の特別入賞部を示す正面図である。
【図１２】第２の実施形態に係る賞球確認作業時の特別入賞部を示す正面図である。
【発明を実施するための形態】
【００１７】
＜第１の実施形態＞
本発明の第１の実施形態について図１から図１０を参照して説明する。なお、第１の実施形態に係る遊技機としては、遊技球としてパチンコ球を用いて遊技を行うパチンコ機を例に挙げて説明する。また、以下の説明において、「前」、「後」、「左」、「右」、「上」、「下」とは、特に断りのない限り、図１に示すように、パチンコ機を遊技者側から見た場合における各方向を示すものである。
【００１８】
（基本構成）
図１に示すように、第１の実施形態に係るパチンコ機１０は、枠体２０と、表示装置３０と、制御部４０と、遊技盤ユニット５０とを備えている。
【００１９】
枠体２０は、外枠２１、中枠２２および前枠２３により構成されている。外枠２１は、前後に開口する矩形枠状に形成されており、遊技店の設置枠台（図示せず）に縦置き姿勢で固定枠として設置される。また、中枠２２は、外枠２１の開口前面側に開閉および着脱可能に組み付けられ、遊技盤ユニット５０を着脱可能に保持する本体枠として設けられている。前枠２３は、中枠２２の前面側に開閉可能に組み付けられ、機内を透視保護するガラス板を備える枠として設けられている。
【００２０】
前枠２３の下部には、パチンコ球を貯留する上球受け皿２４が組み付けられており、前枠２３の開閉に合わせて上球受け皿２４も一体的に開閉するように構成されている。また、前枠２３における上球受け皿２４よりも下方には、パチンコ球を貯留する下球受け皿２５が開閉可能に組み付けられている。なお、上球受け皿２４を前枠２３と別体に形成し、中枠２２に対して開閉可能に組み付けるようにしてもよい。
【００２１】
前枠２３のほぼ全周には、ＬＥＤランプ等の発光体を有するランプ装置（発光部）２６が配設されている。さらに、前枠２３の上部には、音声や効果音を出力可能な複数のスピーカ（音出力部）２７が配設されている。これにより、ランプ装置２６を点灯・点滅させたり、また、スピーカ２７から音を出力したりすることで、表示装置３０で行われる各種の表示演出（図柄変動演出）に合わせて光による演出や音による演出を行うことが可能である。
【００２２】
前枠２３の右下部には、中枠２２に配設された打球発射装置（図示せず）を作動する操作ハンドル２８が設けられている。操作ハンドル２８は、左回りに付勢された操作レバー２８ａを備えており、操作レバー２８ａを右周りに回転させるように遊技者が回動操作することで打球発射装置が作動され、上球受け皿２４に貯留されたパチンコ球が発射されるようになっている。なお、打球発射装置は、操作レバー２８ａの回動量に応じてパチンコ球の打球力の強弱が変化するように構成されている。
【００２３】
表示装置３０は、複数種類の図柄を変動表示可能であり、中枠２２に組み付けられた遊技盤ユニット５０の後側（裏側）に配設されている。なお、この表示装置３０がパチンコ機１０の前面から視認可能になるように遊技盤ユニット５０は構成されている（詳しくは後述する）。表示装置３０としては、各種図柄を表示可能な液晶パネルが収容ケースに収容された液晶表示装置を採用しているが、これに限るものではなく、ドラム式の表示装置やドットマトリックス式の表示装置等の各種図柄を停止および変動表示可能な各種表示装置を採用することが可能である。
【００２４】
制御部４０は、ランプ装置２６やスピーカ２７、表示装置３０などの各部を制御するものであり、遊技盤ユニット５０の後側に配設されている。この制御部４０は、各種の表示演出処理、また、それらの表示演出に合わせて光による演出や音による演出処理を行う。制御部４０としては、ＣＰＵ（中央処理装置）やメモリなどを有する回路を採用しているが、これに限るものではない。
【００２５】
遊技盤ユニット５０は、図２および図３に示すように、遊技盤５１、枠状装飾体５２、演出ユニット５３および設置筐体５４（図３参照）により構成されている。遊技盤５１の前側に枠状装飾体５２が取り付けられ、遊技盤５１の後側に演出ユニット５３を介して設置筐体５４が取り付けられる。ここで、枠状装飾体５２は遊技盤５１の装着口Ｈ１に装着されており、この装着口Ｈ１は遊技盤５１の略中央の大部分が開口する開口部である。なお、遊技盤５１や設置筐体５４などを含めて遊技盤ということがある。
【００２６】
（遊技盤）
遊技盤５１は、アクリルやポリカーボネート等の光透過性の合成樹脂材が所定板厚の略矩形状に形成された平板状の透明板（遊技領域形成部材）である。なお、遊技盤５１は、平板状の透明板に限られるものではなく、例えば、装飾シール等が表面に貼付されたベニヤ材や合成樹脂材等の非光透過性の板部材であってもよい。
【００２７】
この遊技盤５１の前面（盤面）には、内レール５１ａと外レール５１ｂが半円弧状に設けられている。内レール５１ａおよび外レール５１ｂは、枠状装飾体５２の外面と共に、パチンコ球が流下可能（移動可能）な遊技領域Ｒ１を画定しており、打球発射装置から発射されたパチンコ球が遊技領域Ｒ１内に打ち出されるようになっている。内レール５１ａは、遊技盤５１の左側の上部に開放端（打ち出し口）を臨ませるように構成されており、この内レール５１ａおよび外レール５１ｂにより一個のパチンコ球が通過可能な発射通路が画定されている。
【００２８】
打球発射装置から発射されたパチンコ球は、遊技盤５１の下側から左側に内レール５１ａと外レール５１ｂによって案内されて発射通路を通過し、内レール５１ａの開放端から遊技領域Ｒ１の上部に打ち出される。なお、遊技者が操作レバー２８ａの回動量を調整することで、遊技領域Ｒ１の左側をパチンコ球が流下する所謂「左打ち」と、遊技領域Ｒ１の右側をパチンコ球が流下する所謂「右打ち（ゴム打ち）」とが打ち分けられる。
【００２９】
遊技盤５１の遊技領域Ｒ１には、多数の遊技釘５１ｃや回転案内部材５１ｄが設けられている。これらの遊技釘５１ｃや回転案内部材５１ｄは、パチンコ球との接触によりパチンコ球の流下方向が不規則に変化するように設けられている。回転案内部材５１ｄは、遊技領域Ｒ１を流下するパチンコ球の接触に伴って回転するように回転自在に設けられている。この回転案内部材５１ｄは、パチンコ球を弾くように左右方向へ放出する所謂「風車」と称される部材である。また、遊技領域Ｒ１の最下部位置には、遊技領域Ｒ１に開口するアウト口５１ｅが形成されており、遊技領域Ｒ１に打ち出されてアウト口５１ｅに入球したパチンコ球が機外に排出されるように構成されている。
【００３０】
また、遊技盤５１の遊技領域Ｒ１には、遊技領域Ｒ１を流下するパチンコ球が入賞可能な始動入賞部５１ｆがアウト口５１ｅの上側に位置付けられて設けられている。この始動入賞部５１ｆの始動入賞口にパチンコ球が入賞すると、所定数のパチンコ球が賞球として上球受け皿２４や下球受け皿２５に払い出されると共に、表示装置３０において図柄変動演出が開始される。
【００３１】
（枠状装飾体）
枠状装飾体５２は、遊技盤５１の前面に設けられ、表示装置３０において主に図柄変動ゲームが展開される領域を囲む枠状に形成されている。つまり、枠状装飾体５２は、その枠状装飾体５２の開口を介して表示装置３０の表示画面が遊技盤５１の前面側に臨むように構成されている。
【００３２】
前述の枠状装飾体５２は、遊技盤５１に開設された装着口Ｈ１の内側に沿って延在する環状に形成された枠状部５２ａと、枠状部５２ａの後縁から外方に延出する薄板状の台板部５２ｂとを備えている。この枠状装飾体５２は、枠状部５２ａにより遊技盤５１の装着口Ｈ１を囲むように台板部５２ｂを遊技盤５１の前面に当接させた状態で、台板部５２ｂをネジ等の固定部材により遊技盤５１に固定することで、遊技盤５１に取り付けられている。ここで、枠状部５２ａは、開口部Ｈ２を有して遊技領域Ｒ１の内周を画定しており、開口部Ｈ２から臨む表示装置３０の前面側を横切ってパチンコ球が流下（落下）することを規制している。
【００３３】
枠状装飾体５２の下側には、ステージ５２ｃが配設されている。また、枠状装飾体５２の左側には、遊技領域Ｒ１に開口し、遊技領域Ｒ１を流下するパチンコ球を取り込んでステージ５２ｃに案内する球導入部５２ｄが設けられている。球導入部５２ｄからステージ５２ｃに流下したパチンコ球は、ステージ５２ｃ上を左右に転動した後に、ステージ５２ｃの下端、すなわち始動入賞部５１ｆの上方から遊技領域Ｒ１に排出される。
【００３４】
枠状装飾体５２の右側には、特別入賞部６０が配設されている。この特別入賞部６０は、ユニットとして枠状装飾体５２に着脱自在になるように構成されている。特別入賞部６０は、表示装置３０での図柄変動演出の結果、表示装置３０の表示画面に所定の図柄組み合わせ（例えば同一図柄の三つ揃い等）で図柄が停止表示されると大当りが発生し、これによって特別入賞部６０へのパチンコ球の入賞が許容され、多数の賞球を獲得し得るようになっている。なお、特別入賞部６０について詳しくは後述する。
【００３５】
（演出ユニット）
演出ユニット５３は、発光により演出を行う発光演出装置５３ａと（図３参照）、可動体の動作により演出を行う可動演出装置５３ｂと、回転体の回転により演出を行う回転演出装置５３ｃとを備えている。発光演出装置５３ａおよび可動演出装置５３ｂは遊技盤５１の上側に位置付けられ、回転演出装置５３ｃは遊技盤５１の右下側に位置付けられ、設置筐体５４の内部に設けられている。これらの発光演出装置５３ａや可動演出装置５３ｂ、回転演出装置５３ｃなどは制御部４０に電気的に接続されており、それらの駆動は制御部４０によって制御される。
【００３６】
（設置筐体）
設置筐体５４は、遊技盤５１の後側（裏側）に組み付けられ（図３参照）、遊技盤５１との間に収容空間を形成する設置部材（収容空間形成部材）である。この設置筐体５４の収容空間に演出ユニット５３が設置され、遊技盤５１および演出ユニット５３は一つのユニットとして扱うことが可能になっている。
【００３７】
前述の設置筐体５４は、前方が開口する箱状に形成されており、遊技盤５１の外郭形状より僅かに小さな形状に形成された略矩形状の背面板５４ａと、背面板５４ａの外周縁部から前方に突出する側壁部５４ｂとを有している。この設置筐体５４は、側壁部５４ｂの開口前端部が遊技盤５１の裏面に当接した状態で、遊技盤５１にネジ等の固定部材によって固定されている。また、設置筐体５４の背面板５４ａには、略矩形状の開口部Ｈ３が枠状装飾体５２の開口部Ｈ２と前後に整列するように形成されている。この背面板５４ａの後側には、表示装置３０が着脱自在に取り付けられ、表示装置３０の表示画面が背面板５４ａの開口部Ｈ３および枠状装飾体５２の開口部Ｈ２を介して遊技盤５１の前側から視認可能になっている。
【００３８】
（特別入賞部）
特別入賞部６０は、図４および図５に示すように、通路部６１と、検出部６２と、開閉部材６３と、開閉機構６４と、検査用開口部（開口部）６５とを有している。
【００３９】
通路部６１は、特別入賞口（入賞口）６１ａを有しており、その特別入賞口６１ａに流入したパチンコ球が通過する球通路を形成する部材である。この通路部６１は、上下方向に延び、その下側から左に曲がって緩やかに下方に傾斜して延びるように形成されている。特別入賞口６１ａは、通路部６１の右上側面にパチンコ球の通過を可能にするサイズで形成され、右方向に開口するように構成されている。この特別入賞口６１ａの上下方向の開口寸法は、パチンコ球の二個分の直径以上となっている。
【００４０】
ここで、通路部６１は、内部を通過したパチンコ球が通路部６１の下流端に位置する後側の球出口から遊技盤５１の裏側に排出されるように構成されている。この排出されたパチンコ球は、所定の球通路を通過し、回転演出装置５３ｃに流れ込んで入賞する。パチンコ球が入賞すると、所定数のパチンコ球が賞球として上球受け皿２４や下球受け皿２５に払い出される。なお、通路部６１の材料としては、透明材料が用いられるが、これに限るものではなく、透明材料以外の材料が用いられても良い。
【００４１】
検出部６２は、通路部６１の経路途中に設けられ、通路部６１を通過するパチンコ球を検出する球検出部である。この検出部６２は、制御部４０に電気的に接続されており、パチンコ球の検出に応じて検出信号を制御部４０に入力する。検出部６２がパチンコ球を検出して制御部４０に検出信号が入力されると、制御部４０の制御下に所定数の賞球の払い出しが行われることになる。検出部６２としては、例えば、近接スイッチを用いることが可能である。一例として、検出部６２は、上下方向に開放する検出孔を有し、その検出孔を通過するパチンコ球を検出するように構成されている。
【００４２】
開閉部材６３は、前後方向に延伸する支持軸６３ａを回転軸として回転自在に設けられている。この開閉部材６３は、図４に示すように、パチンコ球が流下可能な遊技領域Ｒ１に対して特別入賞口６１ａを閉鎖する閉鎖位置（図４の状態）と、図６に示すように、特別入賞口６１ａをパチンコ球の通過を可能に開ける第１の開口位置（図６の状態）との間で変位可能に構成されている。閉鎖位置は、開閉部材６３の上端が上を向いた位置であり、第１の開口位置は、開閉部材６３の上端が例えば４５°程度斜め右上方を向いた開放位置である。開閉部材６３は、支持軸６３ａから上方に離間するにつれて徐々に薄肉となる所謂「フラップ状」に形成されている。
【００４３】
ここで、図４に示すように、開閉部材６３が閉鎖位置に位置すると、その開閉部材６３の先端部が特別入賞口６１ａに近接する。開閉部材６３の先端部と特別入賞口６１ａとの最近接距離は、パチンコ球の一個分の直径よりも小さくなるように設定されている。したがって、開閉部材６３が閉鎖位置に位置している状態では、遊技領域Ｒ１から特別入賞口６１ａにパチンコ球が入賞することは完全に阻止されている。つまり、特別入賞口６１ａは、開閉部材６３によりパチンコ球が通過不能に塞がれており、開閉部材６３の右側面によって遊技領域Ｒ１の内周を画定している。言い替えると、特別入賞部６０において、開閉部材６３より左側に位置する通路部６１は、開閉部材６３が閉鎖位置に位置している状態で遊技領域Ｒ１からパチンコ球が流入し得ない非遊技領域（遊技領域Ｒ１外）となっている。
【００４４】
また、図６に示すように、開閉部材６３が第１の開口位置（開放位置）に位置すると、開閉部材６３は遊技領域Ｒ１に延出すると共に、その開閉部材６３の先端部は特別入賞口６１ａに対してパチンコ球の一個分の直径よりも大きく離間する。したがって、開閉部材６３が第１の開口位置に位置している状態では、遊技領域Ｒ１から特別入賞口６１ａにパチンコ球が入賞することが許容されている。
【００４５】
開閉機構６４は、閉鎖位置および第１の開口位置に開閉部材６３を変位させる機構である。この開閉機構６４は、閉鎖位置に位置する開閉部材６３の変位を制限することが可能に構成されている。つまり、開閉機構６４は、図４に示すように、開閉部材６３が閉鎖位置（図４の状態）と、図７に示すように、特別入賞口６１ａを遊技領域Ｒ１からのパチンコ球の通過を不能に開ける第２の開口位置（図７の状態）との間だけ変位可能になるように開閉部材６３の変位を制限することができる。なお、開閉機構６４について詳しくは後述する。
【００４６】
検査用開口部６５は、図４および図５に示すように、通路部６１における検出部６２より上流側に連通し、通路部６１の前面であって通路部６１における特別入賞口６１ａ側の端部に形成された切欠き部である。この切欠き部の大きさは、パチンコ球の一個分の直径よりも小さく設定されている。検査用開口部６５は、図４に示すように、開閉部材６３が閉鎖位置に変位した状態でパチンコ球が通過不能となり、図７に示すように、開閉部材６３が第２の開口位置に変位した状態で遊技領域Ｒ１外からのパチンコ球が通過可能となるように形成されている。賞球確認作業を行う際には、開閉部材６３が第２の開口位置に変位した状態で、検査用開口部６５にパチンコ球が作業者によって投入される。
【００４７】
なお、開閉部材６３は、図４に示すように、閉鎖位置に変位して通路部６１における特別入賞口６１ａ側の端部（右上側面）に近接することでパチンコ球が検査用開口部６５を通過することを不能に、また、図７に示すように、第２の開口位置に変位して通路部６１における特別入賞口６１ａ側の端部から離間することでパチンコ球が検査用開口部６５を通過することを可能にするように構成されている。
【００４８】
（開閉機構）
開閉機構６４は、図５、図８から図１０に示すように、駆動源６４ａと、移動体６４ｂと、連結機構（リンク機構）６４ｃとを備えている。この連結機構は、閉鎖位置に位置する開閉部材６３の変位を制限する制限機構として機能する。
【００４９】
駆動源６４ａは、移動体６４ｂを移動させるための作動源であり、遊技盤５１の後側に設けられている。この駆動源６４ａは、制御部４０に電気的に接続されており、その駆動源６４ａの駆動および非駆動、すなわち駆動源６４ａに対する電圧の印加および非印加は制御部４０によって制御される。駆動源６４ａとしては、例えば、ソレノイド（電磁コイル）を用いることが可能である。この場合、駆動源６４ａはソレノイドであり、移動体６４ｂがプランジャ（可動鉄片）となる。
【００５０】
移動体６４ｂは、駆動源６４ａに上下方向に往復移動自在に設けられている。この移動体６４ｂは、図８に示すように、駆動源６４ａの非駆動（駆動源６４ａに対する電圧の非印加）に応じて第１の位置に移動し、図９に示すように、駆動源６４ａの駆動（駆動源６４ａに対する電圧の印加）に応じて第２の位置（例えば、第１の位置より上方の位置）に移動する。なお、移動体６４ｂは、駆動源６４ａが駆動しなくなる、すなわち、駆動源６４ａに電圧が印加されなくなると、スプリング６４ｄの付勢力によって第１の位置に移動するように構成されている。これにより、移動体６４ｂは第１の位置に保持されることになる。スプリング６４ｄとしては、例えば、コイルスプリングを用いる。
【００５１】
連結機構６４ｃは、移動体６４ｂが上下方向に進退移動することで作動する機構であり、遊技盤５１の後側に設けられている。この連結機構６４ｃは、図８に示すように、移動体６４ｂが第１の位置に待機している状態で、開閉部材６３が閉鎖位置（図８の状態）と第２の開口位置（図１０の状態）との間だけ変位可能になり、さらに、図９に示すように、移動体６４ｂが第２の位置に移動した状態で、開閉部材６３が第１の開口位置（図９の状態）に変位するように、開閉部材６３と移動体６４ｂとを連結する。なお、連結機構６４ｃについて詳しくは後述する。
【００５２】
このような開閉機構６４において、駆動源６４ａに電圧が印加されていない状態では、移動体６４ｂはスプリング６４ｄの付勢力によって下側に移動して第１の位置に待機しており、開閉部材６３はスプリング６４ｄの付勢力によって閉鎖位置に保持されている。つまり、開閉部材６３は常に閉鎖位置側に付勢されているため、開閉部材６３を閉鎖位置から第２の開口位置に変位させる場合には、作業者が手によってスプリング６４ｄの付勢力より大きい力で開閉部材６３を第２の開口位置まで変位させる必要がある。なお、第２の開口位置にある開閉部材６３から手が離されると、開閉部材６３はスプリング６４ｄの付勢力によって元の閉鎖位置に自動的に戻る。一方、駆動源６４ａに電圧が印加されると、移動体６４ｂは駆動源６４ａによる駆動力によって上側に移動して第２の位置に到達し、開閉部材６３は閉鎖位置から第１の開口位置に変位する。
【００５３】
（連結機構）
連結機構６４ｃは、図５、図８から図１０に示すように、リンク部材７１と、回動部材７２と、移動部材７３とを備えている。
【００５４】
リンク部材７１は、開閉部材６３と移動体６４ｂとを連結し、移動体６４ｂの上下運動を回転運動に変換して開閉部材６３を回動させるための部材である。このリンク部材７１は、その一端部が支持軸７１ａに設けられており、その支持軸７１ａを回転軸として回転自在に構成されている。このリンク部材７１における支持軸７１ａ側と反対側の端部には、Ｌ字形状の貫通孔７１ｂが形成されており、リンク部材７１の中央付近には、リンク軸７１ｃが固定されて設けられている。
【００５５】
回動部材７２は、支持軸６３ａにおける開閉部材６３と反対側の端部に固定されており（図５参照）、支持軸６３ａを回転軸として回転自在に構成されている。この回動部材７２には、リンク軸７２ａが固定されて設けられており、このリンク軸７２ａは回動部材７２の回動に応じて移動する。リンク軸７２ａは、リンク部材７１の貫通孔７１ｂに挿入されている。
【００５６】
移動部材７３は、移動体６４ｂの下端部に設けられており、移動体６４ｂの上下動に応じて上下方向に移動する。この移動部材７３の下側には、左右に延びる長方形状の貫通孔７３ａが形成されている。この貫通孔７３ａには、リンク部材７１のリンク軸７１ｃが挿入されている。
【００５７】
ここで、開閉部材６３が閉鎖位置（図８の状態）から第１の開口位置（図９の状態）に変位する動作について説明する。この説明での「左」や「右」は、図８および図９中における各方向である（パチンコ機１０を遊技者側から見た場合と逆である）。駆動源６４ａが駆動して移動体６４ｂが上方に向かって移動すると、移動体６４ｂの下側の移動部材７３も上方に向かって移動する。これに応じて、移動部材７３の下側の貫通孔７３ａに挿入されたリンク軸７１ｃが左斜め上方に向かって移動し、リンク部材７１は支持軸７１ａを回転軸として右周りに回転する。そして、リンク部材７１の貫通孔７１ｂに挿入されたリンク軸７２ａがリンク部材７１によって押し上げられ、回動部材７２が左周りに回動し、回動部材７２に連結された支持軸６３ａも左周りに回転する。これにより、開閉部材６３が支持軸６３ａを回転軸として左周りに回転し、閉鎖位置から第１の開口位置に移動する。
【００５８】
逆に、開閉部材６３が第１の開口位置（図９の状態）から閉鎖位置（図８の状態）に変位する動作について説明する。この説明での「左」や「右」は、前述と同様、図８および図９中における各方向である。駆動源６４ａの駆動が停止し、移動体６４ｂがスプリング６４ｄの付勢力によって下方に向かって移動すると、移動体６４ｂの下側の移動部材７３も下方に向かって移動する。これに応じて、移動部材７３の下側の貫通孔７３ａに挿入されたリンク軸７１ｃが右斜め下方に向かって移動し、リンク部材７１は支持軸７１ａを回転軸として左周りに回転する。そして、リンク部材７１の貫通孔７１ｂに挿入されたリンク軸７２ａがリンク部材７１によって押し下げられ、回動部材７２が右周りに回動し、回動部材７２に連結された支持軸６３ａも右周りに回転する。これにより、開閉部材６３が支持軸６３ａを回転軸として右回りに回転し、第１の開口位置から閉鎖位置に移動する。
【００５９】
また、開閉部材６３が閉鎖位置（図８の状態）から第２の開口位置（図１０の状態）に変位する動作について説明する。この説明での「左」や「右」は、前述と同様、図８および図１０中における各方向である。通常、開閉部材６３が閉鎖位置（図８の状態）にある場合には、開閉部材６３が閉鎖位置から第２の開口位置（図１０の状態）まで変位可能になっている。これは、図８に示すように、リンク軸７２ａとリンク部材７１の内壁面（貫通孔７１ｂの上部右内壁面）との隙間Ａ１が形成されており、この隙間Ａ１が遊びとなるためである。なお、リンク軸７２ａをそのままに隙間Ａ１の大きさを変更することで、第２の開口位置を調整することが可能である。
【００６０】
開閉部材６３が閉鎖位置にある状態（図８の状態）において、作業者による力が開閉部材６３に対してスプリング６４ｄの付勢力に逆らって左方向に加えられると、開閉部材６３は支持軸６３ａを回転軸として左回りに回転し、支持軸６３ａに連結された回動部材７２も左回りに回動する。これに応じて、回動部材７２のリンク軸７２ａが右斜め上方に向かって移動し、リンク部材７１を少し押し上げつつ、リンク部材７１の貫通孔７１ｂの上部右内壁面に当接して隙間Ａ１が無くなる。これにより、リンク部材７１は所定量（例えば１ｍｍ程度）だけ押し上げられ、開閉部材６３は第２の開口位置に位置する。開閉部材６３が第２の開口位置にある状態（図１０の状態）において、回動部材７２のリンク軸７２ａがさらに右斜め上方に移動することはリンク部材７１によって規制されているので、開閉部材６３が第２の開口位置から第１の開口位置に向かって変位することは制限されている。なお、前述の作業者による力が開閉部材６３に加えられなくなると、開閉部材６３はスプリング６４ｄの付勢力によって第２の開口位置から閉鎖位置に自動的に戻る。
【００６１】
（賞球確認作業）
次に、パチンコ機１０の検査工程で実施される賞球確認作業を行う場合について図４および図７を参照して説明する。
【００６２】
賞球確認作業に際して、通常（遊技中の大当り以外の時）、駆動源６４ａに電圧が印加されていないため、開閉部材６３は閉鎖位置（図４の状態）に待機している。このとき、開閉部材６３は、常に閉鎖位置側に付勢されているが、閉鎖位置から第２の開口位置（図７の状態）まで変位可能になっている。このため、賞球確認作業を行う場合には、作業者が開閉部材６３を閉鎖位置から第２の開口位置まで変位させることで、検査用開口部６５から通路部６１内にパチンコ球を投入可能にする。そして、作業者は、開閉部材６３が第２の開口位置に変位した状態で、検査用開口部６５から通路部６１にパチンコ球を投入する。通路部６１に投入されたパチンコ球は、通路部６１を流下して検出部６２により検出され、その検出に応じて所定数の賞球が払い出される。このようにして、パチンコ球の払い出しが正常に行われるか否かの検査（賞球確認作業）が実行される。
【００６３】
このような賞球確認作業によれば、専用工具等を用いてロック解除を行うような複雑な作業を必要とせず、開閉部材６３を閉鎖位置（図４の状態）から第２の開口位置（図７の状態）に変位させて検査用開口部６５にパチンコ球を投入するだけで、特別入賞部６０にパチンコ球を入賞させることが可能であり、パチンコ機１０の検査工程で実施される特別入賞部６０の賞球確認作業を容易にまた効率的に行うことができる。さらに、検査用開口部６５は通路部６１の前面側に設けられているので、賞球確認作業に際してパチンコ球を前側から簡単に通路部６１に投入することができる。また、開閉部材６３の強制開放を防ぐ対策を施した複雑な構成を採用する必要はなく、構成を簡単にし得ると共にコストを低減することができる。
【００６４】
また、検査用開口部６５の大きさ（開口寸法）はパチンコ球の一個分より小さく設定され、開閉部材６３が閉鎖位置にある場合、検査用開口部６５にパチンコ球を投入することが不可能になっているので、遊技中など不正にパチンコ球を投入する不正行為を防ぐことができる。さらに、検査用開口部６５は、開閉部材６３が閉鎖位置にある場合においてパチンコ球が通過し得ない開口であり、さらに、遊技領域Ｒ１からパチンコ球が進入し得ない遊技領域Ｒ１外に設けられているため、遊技中にパチンコ球を磁石等の不正手段を用いて検査用開口部６５まで移動して不正に特別入賞口６１ａに入賞させることはできず、賞球が不正獲得されることを防止することができる。特に、不正行為を行おうとしても、開閉部材６３を閉鎖位置から第２の開口位置に変位させた状態で、検査用開口部６５にパチンコ球を投入しなければならず、不正行為は困難な作業となる。また、通路部６１は、透明部材により形成されており、検査用開口部６５の存在を分り難くしているので、検査用開口部６５を標的とした不正行為を思いつくことを抑制することができる。
【００６５】
なお、開閉部材６３が閉鎖位置（図４の状態）にある場合には、特別入賞口６１ａはパチンコ球が通入不能な状態で塞がれており、遊技領域Ｒ１を流下するパチンコ球が特別入賞口６１ａに入賞することはない。また、検査用開口部６５は、開閉部材６３が閉鎖位置にある状態でパチンコ球が進入し得ない通路部６１の前側の遊技領域Ｒ１外に位置している。これにより、開閉部材６３が閉鎖位置にある状態での遊技中に、遊技領域Ｒ１を流下するパチンコ球が検査用開口部６５から通路部６１に流入してしまうことはない。すなわち、パチンコ機１０の検査工程で実施される特別入賞部６０の賞球確認作業のために検査用開口部６５を設けても、開閉部材６３が閉鎖位置にある状態での遊技中に検査用開口部６５から通路部６１にパチンコ球が流入することはない。
【００６６】
また、開閉部材６３が第１の開口位置（図６の状態）に変位し、特別入賞口６１ａが遊技領域Ｒ１に臨むと、遊技領域Ｒ１を流下するパチンコ球は、開放位置にある開閉部材６３によって案内されて特別入賞口６１ａに入賞する。検査用開口部６５は、開放位置にある開閉部材６３上を移動して特別入賞口６１ａに流入するパチンコ球の移動経路から外れた位置に設けられているので、そのパチンコ球の移動に検査用開口部６５が悪影響を与えることはない。すなわち、パチンコ機１０の検査工程で実施される特別入賞部６０の賞球確認作業のために検査用開口部６５を設けても、開閉部材６３が第１の開口位置にある状態での遊技中にパチンコ球の移動に悪影響を与えることはない。
【００６７】
以上説明したように、第１の実施形態によれば、検査用開口部６５が、通路部６１における検出部６２より上流側に連通し、開閉部材６３が閉鎖位置に変位した状態でパチンコ球が通過不能となり、開閉部材６３が第２の開口位置に変位した状態でパチンコ球が通過可能となるように形成されている。これにより、専用工具等を用いてロック解除を行うような複雑な作業を必要とせず、開閉部材６３を閉鎖位置から第２の開口位置に変位させ、検査用開口部６５にパチンコ球を投入するだけで、特別入賞部６０にパチンコ球を入賞させることが可能であり、賞球確認作業を簡単に行うことができる。さらに、開閉部材６３が閉鎖位置にある場合、検査用開口部６５にパチンコ球を投入することは不可能になっているので、遊技球の不正な入賞を抑制することができる。
【００６８】
また、検査用開口部６５は、通路部６１における特別入賞口６１ａ側の端部に形成された切欠き部であり、開閉部材６３は、閉鎖位置に変位して前述の端部に近接することでパチンコ球が切欠き部を通過することを不能にし、第２の開口位置に変位して前述の端部から離間することでパチンコ球が切欠き部を通過することを可能にするように形成されている。これにより、複雑な構成を採用せず、簡単な構成により賞球確認作業の簡略化および遊技球の不正な入賞の抑制を実現することが可能となり、構成の簡略化およびコストの削減を実現することができる。
【００６９】
＜第２の実施形態＞
本発明の第２の実施形態について図１１および図１２を参照して説明する。なお、第２の実施形態では、第１の実施形態との相違点（検査用開口部や開閉部材）について説明し、その他の説明は省略する。
【００７０】
第２の実施形態に係る検査用開口部６５は、図１１に示すように、通路部６１における検出部６２より上流側に連通するように通路部６１の前面（周面の一例）に形成されている。この検査用開口部６５は、パチンコ球が通過可能な円形の貫通孔であり、その検査用開口部６５の大きさは、パチンコ球の一個分の直径よりも大きくその直径とほぼ同じ大きさに設定されている。
【００７１】
第２の実施形態に係る開閉部材６３は、図１１に示すように、閉鎖位置に変位して検査用開口部６５の一部を塞ぐことでパチンコ球が検査用開口部６５を通過することを不能にし、図１２に示すように、第２の開口位置に変位して検査用開口部６５を開放することでパチンコ球が検査用開口部６５を通過することを可能にするように形成されている。具体的には、開閉部材６３は、閉鎖位置で検査用開口部６５の一部を覆い、第２の開口位置で検査用開口部６５を覆わずに開放する板状の覆い部６３ｂを有している。この覆い部６３ｂは、検査用開口部６５側に突出する板形状にされ、開閉部材６３に一体的に形成されている。
【００７２】
このような構成において、通常、駆動源６４ａに電圧が印加されていないため、開閉部材６３は閉鎖位置（図１１の状態）に位置しており、開閉部材６３の覆い部６３ｂによって検査用開口部６５の一部が覆われている。このとき、開閉部材６３は、常に閉鎖位置側に付勢されているが、閉鎖位置から第２の開口位置（図１２の状態）まで変位可能になっている。このため、賞球確認作業を行う場合には、作業者が開閉部材６３を閉鎖位置から第２の開口位置まで変位させて検査用開口部６５を開放することで、検査用開口部６５から通路部６１内にパチンコ球を投入可能にする。そして、作業者は、開閉部材６３が第２の開口位置に変位した状態で、検査用開口部６５から通路部６１にパチンコ球を投入する。
【００７３】
以上説明したように、第２の実施形態によれば、第１の実施形態と同様の効果を得ることができる。すなわち、第２の実施形態に係る検査用開口部６５および開閉部材６３を設けることによって、賞球確認作業を簡単に行うことができ、さらに、遊技球の不正な入賞を抑制することができる。
【００７４】
また、検査用開口部６５は、パチンコ球が通過可能に通路部６１の周面に形成された貫通孔であり、開閉部材６３は、閉鎖位置に変位して貫通孔の一部を塞ぐことでパチンコ球が貫通孔を通過することを不能にし、第２の開口位置に変位して貫通孔を開放することでパチンコ球が貫通孔を通過することを可能にするように形成されている。これにより、複雑な構成を採用せず、簡単な構成により賞球確認作業の簡略化および遊技球の不正な入賞の抑制を実現することが可能となり、構成の簡略化およびコストの削減を実現することができる。
【００７５】
＜他の実施形態＞
前述の第１又は第２の実施形態においては、検査用開口部６５を遊技領域Ｒ１外に設けているが、これに限るものではなく、例えば、遊技領域Ｒ１内に設けるようにしても良い。この場合には、例えば、通路部６１の上端部、すなわち、通路部６１の上端部を形成する上端カバーの右側面（図４中）の下端に、検査用開口部６５として切欠き部を形成する。なお、上端カバーの右側面は、遊技領域Ｒ１の内周を画定しており、遊技領域Ｒ１に臨む面である。
【００７６】
また、前述の第１又は第２の実施形態においては、連結機構６４ｃによって、開閉部材６３が閉鎖位置から第２の開口位置の範囲だけを変位可能になるように開閉部材６３の変位を制限しているが、これに限るものではなく、他の各種機構によって開閉部材６３の変位を制限するようにしても良い。なお、連結機構６４ｃでは、開閉部材６３が閉鎖位置から第２の開口位置の範囲だけを変位可能にするための遊びを設け、その範囲内における開閉部材６３の変位を実現しているが、これに限るものではなく、例えば、機構によって前述の範囲内における開閉部材６３の変位を実現するようにしても良い。
【００７７】
また、前述の第１又は第２の実施形態においては、特別入賞部６０を枠状装飾体５２に設けているが、これに限るものではなく、例えば、遊技盤５１に設けるようにしても良い。
【００７８】
また、前述の第２の実施形態においては、開閉部材６３に覆い部６３ｂを一体に形成しているが、これに限るものではなく、例えば、別体で形成するようにしても良い。
【００７９】
また、前述の第１又は第２の実施形態においては、遊技機としてパチンコ機１０を用いているが、これに限るものではなく、例えば、アレンジボール機やパチンコ球を使用するスロットマシン等、その他各種の遊技機を用いるようにしても良い。
【００８０】
以上、本発明に係る前述の実施形態を説明したが、前述の実施形態は例示であり、発明の範囲を限定するものではない。前述の実施形態は種々変更可能であり、例えば、前述の実施形態に示される構成要素を省略、置き換え、変更しても良く、さらに、異なる実施形態に係る構成要素を適宜組み合わせても良い。前述の実施形態やその変形は、特許請求の範囲に記載された発明とその均等の範囲に含まれるものである。
【符号の説明】
【００８１】
１０    パチンコ機
２０    枠体
２１    外枠
２２    中枠
２３    前枠
２４    上球受け皿
２５    下球受け皿
２６    ランプ装置
２７    スピーカ
２８    操作ハンドル
２８ａ  操作レバー
３０    表示装置
４０    制御部
５０    遊技盤ユニット
５１    遊技盤
５１ａ  内レール
５１ｂ  外レール
５１ｃ  遊技釘
５１ｄ  回転案内部材
５１ｅ  アウト口
５１ｆ  始動入賞部
５２    枠状装飾体
５２ａ  枠状部
５２ｂ  台板部
５２ｃ  ステージ
５２ｄ  球導入部
５３    演出ユニット
５３ａ  発光演出装置
５３ｂ  可動演出装置
５３ｃ  回転演出装置
５４    設置筐体
５４ａ  背面板
５４ｂ  側壁部
６０    特別入賞部
６１    通路部
６１ａ  特別入賞口（入賞口）
６２    検出部
６３    開閉部材
６３ａ  支持軸
６３ｂ  覆い部
６４    開閉機構
６４ａ  駆動源
６４ｂ  移動体
６４ｃ  連結機構
６４ｄ  スプリング
６５    検査用開口部（開口部）
７１    リンク部材
７１ａ  支持軸
７１ｂ  貫通孔
７１ｃ  リンク軸
７２    回動部材
７２ａ  リンク軸
７３    移動部材
７３ａ  貫通孔
Ａ１    隙間
Ｈ１    装着口
Ｈ２    開口部
Ｈ３    開口部
Ｒ１    遊技領域
【図１】
2018187150.tif 000003
【図２】
2018187150.tif 000004
【図３】
2018187150.tif 000005
【図４】
2018187150.tif 000006
【図５】
2018187150.tif 000007
【図６】
2018187150.tif 000008
【図７】
2018187150.tif 000009
【図８】
2018187150.tif 000010
【図９】
2018187150.tif 000011
【図１０】
2018187150.tif 000012
【図１１】
2018187150.tif 000013
【図１２】
2018187150.tif 000014